(57)【要約】【課題】電子機器と他の電子機器とを接続する場合にその接続操作を容易にする。【解決手段】映像情報または音声情報を出力する第１の端子３１０乃至第４の端子３４０を備える撮像装置１００において、ケーブルを介して第１の端子３１０乃至第４の端子３４０のうちの少なくとも１つの端子と接続が可能な端子を備える他の電子機器の中から接続対象となる種類の他の電子機器を接続機器選択画面５３０において選択し、第１の端子３１０乃至第４の端子３４０と選択された種類の他の電子機器が備える端子との組み合わせの中から接続に使用する端子の組み合わせを接続端子選択画面５５０において選択し、選択された他の電子機器の種類と端子の組み合わせとに応じて、選択された他の電子機器への出力に関する設定内容を決定し、決定された設定内容を設定値表示画面５６０としてタッチパネル１４０に表示する。【選択図】図１
2008147720.tif 000002
【特許請求の範囲】
【請求項１】
所定情報を出力する複数の端子を備える電子機器において、
所定の通信手段を介して前記複数の端子のうちの少なくとも１つの端子と接続が可能な端子を備える他の電子機器の中から接続対象となる種類の他の電子機器を選択する接続機器選択手段と、
当該電子機器が備える端子と前記選択された種類の他の電子機器が備える端子との組み合わせの中から接続に使用する端子の組み合わせを選択する接続端子選択手段と、
前記選択された他の電子機器の種類と端子の組み合わせとに応じて当該他の電子機器への出力に関する設定内容を決定する設定内容決定手段と
を具備することを特徴とする電子機器。
【請求項２】
各種画面を表示する表示手段と、
前記他の電子機器を選択させる接続機器選択画面を前記表示手段に表示させるとともに当該電子機器が備える端子と前記選択された種類の他の電子機器が備える端子との組み合わせを選択させる接続端子選択画面を前記表示手段に表示させる表示制御手段とをさらに具備し、
前記接続機器選択手段は、前記接続機器選択画面に表示されている他の電子機器の中から接続対象となる種類の他の電子機器を選択し、
前記接続端子選択手段は、前記接続端子選択画面に表示されている端子の組み合わせの中から接続に使用する端子の組み合わせを選択することを特徴とする請求項１記載の電子機器。
【請求項３】
前記表示制御手段は、前記選択された組み合わせに係る端子の外観とともにこれらの端子を接続可能な通信手段の外観を表示してこれらの端子と当該通信手段との接続を促す接続指示画面を前記表示手段に表示させることを特徴とする請求項２記載の電子機器。
【請求項４】
前記表示制御手段は、前記接続指示画面に表示された端子と通信手段とを介して接続された当該電子機器と前記選択された他の電子機器との接続状態の確認を促す接続状態確認画面を前記表示手段に表示させることを特徴とする請求項３記載の電子機器。
【請求項５】
前記接続指示画面には、当該電子機器の外観と前記選択された他の電子機器の外観とが前記端子の外観および前記通信手段の外観とともに表示されることを特徴とする請求項３記載の電子機器。
【請求項６】
前記表示制御手段は、前記設定内容決定手段により決定された設定内容を表示して当該設定内容を使用者に確認させる設定内容表示画面を前記表示手段に表示させることを特徴とする請求項２記載の電子機器。
【請求項７】
前記表示手段は、各種画面において所定の画面に誘導するための選択ボタンを表示するタッチパネルであることを特徴とする請求項２記載の電子機器。
【請求項８】
前記表示制御手段は、前記タッチパネルに表示されている選択ボタンの押下に基づいて前記タッチパネルに表示されている内容に関する情報であるヒント情報を表示するヒント画面を表示させることを特徴とする請求項７記載の電子機器。
【請求項９】
前記表示制御手段は、少なくとも操作の目的に関する選択ボタンを表示して前記接続機器選択画面に誘導するための画面であるガイド画面を前記タッチパネルに表示させることを特徴とする請求項７記載の電子機器。
【請求項１０】
前記タッチパネルの初期画面には、前記ガイド画面に進むための選択ボタンであるガイドボタンが表示されることを特徴とする請求項９記載の電子機器。
【請求項１１】
前記接続端子選択画面には、当該電子機器が備える端子と前記選択された他の電子機器が備える端子とに関する説明が表示されることを特徴とする請求項２記載の電子機器。
【請求項１２】
前記所定情報は、映像情報または音声情報であることを特徴とする請求項１記載の電子機器。
【請求項１３】
前記複数の端子のうちの少なくとも１つの端子に通信手段が接続されたことを検出する検出手段をさらに具備し、
前記表示制御手段は、前記検出手段により通信手段の接続が検出された場合には前記接続機器選択画面を前記表示手段に表示させることを特徴とする請求項２記載の電子機器。
【請求項１４】
所定情報を入力する複数の端子を備える電子機器において、
所定の通信手段を介して前記複数の端子のうちの少なくとも１つの端子と接続が可能な端子を備える他の電子機器の中から接続対象となる種類の他の電子機器を選択する接続機器選択手段と、
当該電子機器が備える端子と前記選択された種類の他の電子機器が備える端子との組み合わせの中から接続に使用する端子の組み合わせを選択する接続端子選択手段と、
前記選択された他の電子機器の種類と端子の組み合わせとに応じて当該他の電子機器からの入力に関する設定内容を決定する設定内容決定手段と
を具備することを特徴とする電子機器。
【請求項１５】
所定情報を出力する複数の端子を備える撮像装置において、
所定の通信手段を介して前記複数の端子のうちの少なくとも１つの端子と接続が可能な端子を備える他の電子機器の中から接続対象となる種類の他の電子機器を選択する接続機器選択手段と、
当該撮像装置が備える端子と前記選択された種類の他の電子機器が備える端子との組み合わせの中から接続に使用する端子の組み合わせを選択する接続端子選択手段と、
前記選択された他の電子機器の種類と端子の組み合わせとに応じて当該他の電子機器への出力に関する設定内容を決定する設定内容決定手段と
を具備することを特徴とする撮像装置。
【請求項１６】
所定情報を出力する複数の端子を備える電子機器に用いられる表示制御方法において、
所定の通信手段を介して前記複数の端子のうちの少なくとも１つの端子と接続が可能な端子を備える他の電子機器の中から接続対象となる種類の他の電子機器を選択する接続機器選択手順と、
当該電子機器が備える端子と前記選択された種類の他の電子機器が備える端子との組み合わせの中から接続に使用する端子の組み合わせを選択する接続端子選択手順と、
前記選択された他の電子機器の種類と端子の組み合わせとに応じて当該他の電子機器への出力に関する設定内容を決定する設定内容決定手順と
を具備することを特徴とする表示制御方法。
【請求項１７】
所定情報を出力する複数の端子を備える電子機器において、
所定の通信手段を介して前記複数の端子のうちの少なくとも１つの端子と接続が可能な端子を備える他の電子機器の中から接続対象となる種類の他の電子機器を選択する接続機器選択手順と、
当該電子機器が備える端子と前記選択された種類の他の電子機器が備える端子との組み合わせの中から接続に使用する端子の組み合わせを選択する接続端子選択手順と、
前記選択された他の電子機器の種類と端子の組み合わせとに応じて当該他の電子機器への出力に関する設定内容を決定する設定内容決定手順と
をコンピュータに実行させることを特徴とするプログラム。
【発明の詳細な説明】
【技術分野】
【０００１】
本発明は、電子機器に関し、特に、複数の接続端子を備える電子機器、撮像装置およびこれらにおける表示制御方法ならびに当該方法をコンピュータに実行させるプログラムに関する。
【背景技術】
【０００２】
従来、デジタルビデオカメラ等の撮像装置については、撮影可能な解像度が高くなり高画素化が進んでいる。また、テレビジョン放送において地上デジタル放送が開始されたことに伴い、従来のテレビジョンの画質である標準画質（ＳＤ（Standard Definition））の代わりに、地上デジタル放送の高精細な画質であるハイビジョン画質（ＨＤ（High Definition））が普及しつつある。
【０００３】
また、従来、撮像装置で撮像した画像を大画面のディスプレイを備えるテレビジョンに出力して鑑賞することが広く行われている。例えば、撮像装置で撮像した画像をテレビジョンに出力して鑑賞する場合には、撮像装置の出力端子とテレビジョンの入力端子とをケーブルで接続する必要がある。なお、従来のテレビジョンに備えられている入力端子としては、コンポジット端子が広く普及していた。
【０００４】
しかしながら、最近では、撮像装置やテレビジョンの高画質化が進んでおり、これらにより高画質な画像を視聴することができるように、コンポーネント端子、ｉ．ＬＩＮＫ（登録商標）端子、ＨＤＭＩ（登録商標）端子等の複数の種類の入力端子を備えるテレビジョンが広く普及している。また、テレビジョン側の入力端子に対応するように、複数の出力端子を備えた撮像装置等が提案されている。
【０００５】
例えば、複数の映像信号の種類および複数のテレビジョン方式に対応する各種映像信号を１つの映像出力端子にまとめて出力する映像出力装置が提案されている（例えば、特許文献１参照。）。
【特許文献１】特開２００５−１０９５５３号公報（図１）
【発明の開示】
【発明が解決しようとする課題】
【０００６】
上述の従来技術によれば、ＮＴＳＣ／ＰＡＬ方式のテレビジョンモニタやハイビジョン方式のテレビジョンモニタに映像出力装置を接続する場合には、同一の映像出力端子に各種テレビジョンモニタ用接続ケーブルを介して接続することができる。
【０００７】
しかしながら、例えば、映像出力装置の接続対象となるテレビジョンの種類によっては、映像出力装置側において出力形式や再生形式の設定を予め行う必要があるものが存在する。このため、例えば、デジタルビデオカメラ等の撮像装置とテレビジョンとを接続する場合において、上述の設定をせずに、これらをケーブルで接続した場合には、テレビジョンにおいて映像が正しく出力がされない場合や希望した画質で映像が出力されない場合がある。
【０００８】
このように、例えば、ビデオカメラ等の撮像装置で撮影した映像をテレビジョンで観賞する場合において、使用者は出力形式の設定項目等を理解した上で、所定の設定操作等を行い、撮像装置とテレビジョンとを接続する必要がある。このため、撮像装置やテレビジョンの操作に不慣れな使用者にとっては、接続に関する設定操作等をすることが困難である場合が多い。このように、撮像装置等の電子機器とテレビジョン等の他の電子機器とを接続する場合においては、これらの機器の操作に不慣れな使用者が、その接続操作を容易に行えることが好ましい。
【０００９】
そこで、本発明は、電子機器と他の電子機器とを接続する場合にその接続操作を容易にすることを目的とする。
【課題を解決するための手段】
【００１０】
本発明は、上記課題を解決するためになされたものであり、その第１の側面は、所定情報を出力する複数の端子を備える電子機器において、所定の通信手段を介して上記複数の端子のうちの少なくとも１つの端子と接続が可能な端子を備える他の電子機器の中から接続対象となる種類の他の電子機器を選択する接続機器選択手段と、当該電子機器が備える端子と上記選択された種類の他の電子機器が備える端子との組み合わせの中から接続に使用する端子の組み合わせを選択する接続端子選択手段と、上記選択された他の電子機器の種類と端子の組み合わせとに応じて当該他の電子機器への出力に関する設定内容を決定する設定内容決定手段とを具備することを特徴とする電子機器、および、その表示制御方法ならびに当該方法をコンピュータに実行させるプログラムである。これにより、接続対象となる他の電子機器の種類を選択し、自機が備える端子と選択された種類の他の電子機器が備える端子との組み合わせの中から接続に使用する端子の組み合わせを選択し、選択された他の電子機器の種類と端子の組み合わせとに応じて、選択された他の電子機器への出力に関する設定内容を決定するという作用をもたらす。
【００１１】
また、この第１の側面において、各種画面を表示する表示手段と、上記他の電子機器を選択させる接続機器選択画面を上記表示手段に表示させるとともに当該電子機器が備える端子と上記選択された種類の他の電子機器が備える端子との組み合わせを選択させる接続端子選択画面を上記表示手段に表示させる表示制御手段とをさらに具備し、上記接続機器選択手段は、上記接続機器選択画面に表示されている他の電子機器の中から接続対象となる種類の他の電子機器を選択し、上記接続端子選択手段は、上記接続端子選択画面に表示されている端子の組み合わせの中から接続に使用する端子の組み合わせを選択することができる。これにより、接続機器選択画面に表示されている他の電子機器の中から接続対象となる種類の他の電子機器を選択し、接続端子選択画面に表示されている端子の組み合わせの中から接続に使用する端子の組み合わせを選択するという作用をもたらす。
【００１２】
また、この第１の側面において、上記表示制御手段は、上記選択された組み合わせに係る端子の外観とともにこれらの端子を接続可能な通信手段の外観を表示してこれらの端子と当該通信手段との接続を促す接続指示画面を上記表示手段に表示させることができる。これにより、選択された組み合わせに係る端子の外観とともにこれらの端子を接続可能な通信手段の外観を表示してこれらの端子と当該通信手段との接続を促す接続指示画面を表示するという作用をもたらす。
【００１３】
また、この第１の側面において、上記表示制御手段は、上記接続指示画面に表示された端子と通信手段とを介して接続された当該電子機器と上記選択された他の電子機器との接続状態の確認を促す接続状態確認画面を上記表示手段に表示させることができる。これにより、接続指示画面に表示された端子と通信手段とを介して接続された自機と他の電子機器との接続状態の確認を促す接続状態確認画面を表示するという作用をもたらす。
【００１４】
また、この第１の側面において、上記接続指示画面には、当該電子機器の外観と上記選択された他の電子機器の外観とが上記端子の外観および上記通信手段の外観とともに表示されることができる。これにより、上記接続指示画面に、自機の外観と選択された他の電子機器の外観とを端子の外観および通信手段の外観とともに表示するという作用をもたらす。
【００１５】
また、この第１の側面において、上記表示制御手段は、上記設定内容決定手段により決定された設定内容を表示して当該設定内容を使用者に確認させる設定内容表示画面を上記表示手段に表示させることができる。これにより、決定された設定内容を表示して使用者に確認させるという作用をもたらす。
【００１６】
また、この第１の側面において、上記表示手段は、各種画面において所定の画面に誘導するための選択ボタンを表示するタッチパネルであることができる。これにより、各種画面において所定の画面に誘導するための選択ボタンをタッチパネルに表示するという作用をもたらす。
【００１７】
また、この第１の側面において、上記表示制御手段は、上記タッチパネルに表示されている選択ボタンの押下に基づいて上記タッチパネルに表示されている内容に関する情報であるヒント情報を表示するヒント画面を表示させることができる。これにより、タッチパネルに表示されている選択ボタンの押下に基づいてタッチパネルに表示されている内容に関するヒント情報を表示するという作用をもたらす。
【００１８】
また、この第１の側面において、上記表示制御手段は、少なくとも操作の目的に関する選択ボタンを表示して上記接続機器選択画面に誘導するための画面であるガイド画面を上記タッチパネルに表示させることができる。これにより、少なくとも操作の目的に関する選択ボタンを表示して接続機器選択画面に誘導するためのガイド画面をタッチパネルに表示するという作用をもたらす。
【００１９】
また、この第１の側面において、上記タッチパネルの初期画面には、上記ガイド画面に進むための選択ボタンであるガイドボタンが表示されることができる。これにより、タッチパネルの初期画面に、ガイド画面に進むためのガイドボタンを表示するという作用をもたらす。
【００２０】
また、この第１の側面において、上記接続端子選択画面には、当該電子機器が備える端子と上記選択された他の電子機器が備える端子とに関する説明が表示されることができる。これにより、接続端子選択画面に、自機が備える端子と選択された他の電子機器が備える端子とに関する説明を表示するという作用をもたらす。
【００２１】
また、この第１の側面において、上記所定情報は、映像情報または音声情報であることができる。これにより、出力される所定情報を映像情報または音声情報とするという作用をもたらす。
【００２２】
また、この第１の側面において、上記複数の端子のうちの少なくとも１つの端子に通信手段が接続されたことを検出する検出手段をさらに具備し、上記表示制御手段は、上記検出手段により通信手段の接続が検出された場合には上記接続機器選択画面を上記表示手段に表示させることができる。これにより、通信手段の接続が検出された場合には接続機器選択画面を表示するという作用をもたらす。
【００２３】
また、本発明の第２の側面は、所定情報を入力する複数の端子を備える電子機器において、所定の通信手段を介して上記複数の端子のうちの少なくとも１つの端子と接続が可能な端子を備える他の電子機器の中から接続対象となる種類の他の電子機器を選択する接続機器選択手段と、当該電子機器が備える端子と上記選択された種類の他の電子機器が備える端子との組み合わせの中から接続に使用する端子の組み合わせを選択する接続端子選択手段と、上記選択された他の電子機器の種類と端子の組み合わせとに応じて当該他の電子機器からの入力に関する設定内容を決定する設定内容決定手段とを具備することを特徴とする電子機器、および、その表示制御方法ならびに当該方法をコンピュータに実行させるプログラムである。これにより、接続対象となる他の電子機器の種類を選択し、自機が備える端子と選択された種類の他の電子機器が備える端子との組み合わせの中から接続に使用する端子の組み合わせを選択し、選択された他の電子機器の種類と端子の組み合わせとに応じて、選択された他の電子機器からの入力に関する設定内容を決定するという作用をもたらす。
【００２４】
また、本発明の第３の側面は、所定情報を出力する複数の端子を備える撮像装置において、所定の通信手段を介して上記複数の端子のうちの少なくとも１つの端子と接続が可能な端子を備える他の電子機器の中から接続対象となる種類の他の電子機器を選択する接続機器選択手段と、当該撮像装置が備える端子と上記選択された種類の他の電子機器が備える端子との組み合わせの中から接続に使用する端子の組み合わせを選択する接続端子選択手段と、上記選択された他の電子機器の種類と端子の組み合わせとに応じて当該他の電子機器への出力に関する設定内容を決定する設定内容決定手段とを具備することを特徴とする撮像装置、および、その表示制御方法ならびに当該方法をコンピュータに実行させるプログラムである。これにより、接続対象となる他の電子機器の種類を選択し、自機が備える端子と選択された種類の他の電子機器が備える端子との組み合わせの中から接続に使用する端子の組み合わせを選択し、選択された他の電子機器の種類と端子の組み合わせとに応じて、選択された他の電子機器への出力に関する設定内容を決定するという作用をもたらす。
【発明の効果】
【００２５】
本発明によれば、電子機器と他の電子機器とを接続する場合にその接続操作を容易にすることができるという優れた効果を奏し得る。
【発明を実施するための最良の形態】
【００２６】
次に本発明の実施の形態について図面を参照して詳細に説明する。
【００２７】
図１は、本発明の実施の形態における撮像装置１００の機能構成例を示すブロック図である。撮像装置１００は、映像情報または音声情報を入力または出力する複数の端子を備えた電子機器の一例であり、使用者が望んだ出力方法を用いて、他の電子機器と接続するものである。なお、接続の対象となる他の電子機器としては、ハイビジョン対応のテレビジョン等の受像装置や映像視聴装置、デジタルビデオレコーダやＨＤＤ（Hard Disk Drive）レコーダ等の記録装置や情報入力装置、パーソナルコンピュータ等の電子計算機等の電子機器がある。また、本発明の実施の形態では、出力端子について説明するが、入力端子についても同様に適用することができる。
【００２８】
撮像装置１００は、マイクロプロセッサ１１０と、ＯＳＤ（オンスクリーンディスプレイ）画像生成回路１２０と、重畳回路１３０と、タッチパネル１４０と、ビューファインダ１５０と、レンズ１７０と、ＣＣＤ（Charge Coupled Devices）１８０と、カメラ信号処理回路１９０と、記録回路２００と、キー入力回路２１０と、電源回路２２０と、電源コントロール回路２３０と、バッテリ２４０と、ＡＣケーブル２５０と、第１の端子３１０乃至第４の端子３４０とを備える。
【００２９】
マイクロプロセッサ１１０は、メモリ（図示せず）に記憶されている制御プログラムに基づいて、撮像装置１００の各部を制御するマイクロプロセッサである。また、マイクロプロセッサ１１０は、タッチパネル１４０やキー入力回路２１０から入力される入力電圧をＡ／Ｄ変換して得られる変換値に基づいて、タッチパネル１４０やキー入力回路２１０における押下状態を判断する。そして、判断結果に基づいて、例えば、タッチパネル１４０にメニュー画面が表示されている場合には、タッチパネル１４０における押下状態に応じたメニュー項目の選択やメニュー項目の決定等の処理を実行する。また、タッチパネル１４０に設定画面が表示されている場合には、タッチパネル１４０における押下状態に応じた設定項目の選択や設定項目の決定等の処理を実行する。これらの処理に基づいて、マイクロプロセッサ１１０がＯＳＤ画像生成回路１２０や記録回路２００等にコマンドを出力する。
【００３０】
ＯＳＤ画像生成回路１２０は、タッチパネル１４０に表示される各種画像を保持するＶＲＡＭ（Video Random Access Memory）を備え、マイクロプロセッサ１１０が出力したコマンドを解釈し、解釈されたコマンドに基づいてＶＲＡＭ上に作成された画像データに対応する表示信号を走査単位で重畳回路１３０に出力するものである。また、ＯＳＤ画像生成回路１２０は、マイクロプロセッサ１１０が出力したビットマップデータをＶＲＡＭ上に展開し、ＶＲＡＭ上に展開されたビットマップデータに対応する表示信号を走査単位で重畳回路１３０に出力する。
【００３１】
重畳回路１３０は、カメラ信号処理回路１９０が出力した映像信号と、ＯＳＤ画像生成回路１２０が出力した表示信号とを重畳し、重畳された画像信号をタッチパネル１４０とビューファインダ１５０と第１の端子３１０乃至第４の端子３４０とに出力する重畳回路である。
【００３２】
タッチパネル１４０は、重畳回路１３０が出力した画像信号に対応する画像をＬＣＤ（Liquid Crystal Display）パネルに表示するとともに、ＬＣＤパネルにおける接触を専用の感知装置を用いて電気信号に変換し、変換された電気信号をマイクロプロセッサ１１０に出力するタッチパネルである。また、タッチパネル１４０は、各種画面において所定の画面に誘導する場合等に押下して選択する選択ボタンを表示するタッチパネルである。
【００３３】
ビューファインダ１５０は、撮像装置１００において撮影されている画像や再生されている画像を表示する表示装置であり、重畳回路１３０が出力した画像信号に対応する画像を表示する表示装置である。
【００３４】
第１の端子３１０は、重畳回路１３０が出力した画像信号を他の電子機器に出力する端子（LINE OUT）である。第２の端子３２０は、重畳回路１３０が出力した画像信号を他の電子機器に出力する端子（COMPONENT OUT）である。第３の端子３３０は、重畳回路１３０が出力した画像信号を他の電子機器に出力する端子（i.LINK OUT）である。第４の端子３４０は、重畳回路１３０が出力した画像信号を他の電子機器に出力する端子（HDMI OUT）である。
【００３５】
なお、一般的な端子の中で、コンポーネント端子やマルチジャック端子については、ケーブル等の通信手段の接続を検出することができる端子であるものの、接続先の電子機器を検出することはできない。そこで、これらの端子を用いる場合において、接続先の電子機器を検出する場合には、コントロール信号を別に設けて接続先の電子機器を検出する必要がある。これに対して、ｉ．ＬＩＮＫ端子やＨＤＭＩ端子については、ケーブル等の通信手段の接続を検出することができないものの、接続先の電子機器との間の制御信号のやり取りによって接続先の電子機器を検出することができる。したがって、第１の端子３１０および第２の端子３２０にケーブル等の通信手段が接続された場合には、その接続が検出される。また、第３の端子３３０および第４の端子３４０を用いて電子機器と接続した場合には、その接続先の電子機器が検出される。
【００３６】
レンズ１７０は、外界の光を集光し、集光された光をＣＣＤ１８０に出力するものである。なお、レンズ１７０は、マイクロプロセッサ１１０が出力したコントロール信号に従って、絞り値を変更して撮影画像の拡大量を調節する。
【００３７】
ＣＣＤ１８０は、レンズ１７０を経由して入力された光信号を電気信号に変換し、変換された電気信号をカメラ信号処理回路１９０に出力する撮像素子である。
【００３８】
カメラ信号処理回路１９０は、ＣＣＤ１８０が出力した電気信号に対して適正な信号処理を施し、信号処理が施された電気信号を映像信号として記録回路２００および重畳回路１３０に出力するものである。また、カメラ信号処理回路１９０は、マイクロプロセッサ１１０が出力したコントロール信号に従って、映像効果を映像信号に加える処理を実行する。なお、映像効果として、ネガ、セピア、スローシャッター等の映像効果がある。
【００３９】
記録回路２００は、マイクロプロセッサ１１０が出力したコントロール信号に従って、カメラ信号処理回路１９０が出力した映像信号を記録メディアに記録する記録回路である。
【００４０】
キー入力回路２１０は、一または複数の外部操作部材を備え、外部操作部材の操作に応じた入力電圧をマイクロプロセッサ１１０に出力する回路である。この外部操作部材の操作によって、撮像装置１００に備えられる複数の機能を制御することができる。なお、外部操作部材は、撮像装置１００に備えられるハードキーである。
【００４１】
電源回路２２０は、マイクロプロセッサ１１０および他回路に電源供給を行う電源回路である。なお、電源供給元は、バッテリ２４０またはＡＣケーブル２５０である。
【００４２】
電源コントロール回路２３０は、マイクロプロセッサ１１０が出力したコントロール信号に従って、他回路への電源供給の有無を操作するものである。
【００４３】
バッテリ２４０は、電源回路２２０に電源供給を行うバッテリである。また、ＡＣケーブル２５０から供給される電気を元に電源回路２２０によってバッテリ２４０に充電が行われる。
【００４４】
ＡＣケーブル２５０は、電源回路２２０に電源供給を行うＡＣケーブルである。また、ＡＣケーブル２５０は、バッテリ２４０を充電するための電源供給を行う。
【００４５】
図２は、本発明の実施の形態における撮像装置１００の表示制御に関する機能構成例を示すブロック図である。
【００４６】
撮像装置１００は、選択受付部４１０と、接続機器選択部４２０と、接続端子選択部４３０と、設定内容決定部４４０と、表示制御部４５０と、表示部４６０と、接続検出部４７０とを備える。
【００４７】
選択受付部４１０は、ユーザによって入力された各種情報を受け付けると、この各種情報を接続機器選択部４２０と接続端子選択部４３０と表示制御部４５０とに出力するものである。選択受付部４１０は、例えばタッチパネル１４０に対応する。
【００４８】
接続機器選択部４２０は、表示部４６０に表示される接続機器選択画面に表示される他の電子機器の中から接続対象となる種類の他の電子機器を、選択受付部４１０が出力した選択情報に基づいて選択するものである。そして、選択された他の電子機器に関する情報を、接続端子選択部４３０と設定内容決定部４４０と表示制御部４５０とに出力するものである。例えば、他の電子機器の種類として、ハイビジョン対応のテレビジョン、その他のテレビジョン、レコーダ装置、パーソナルコンピュータ、プリンタ等の種類がある。
【００４９】
接続端子選択部４３０は、表示部４６０に表示される接続端子選択画面に表示される撮像装置１００が備える端子と接続機器選択部４２０から出力された他の電子機器が備える端子との組み合わせの中から接続に使用する端子の組み合わせを、選択受付部４１０が出力した選択情報に基づいて選択するものである。そして、選択された端子の組み合わせに関する情報を、設定内容決定部４４０と表示制御部４５０とに出力するものである。
【００５０】
設定内容決定部４４０は、接続機器選択部４２０から出力された他の電子機器に関する情報と、接続端子選択部４３０から出力された端子の組み合わせに関する情報に応じて、接続対象の他の電子機器への出力に関する設定内容を決定し、決定された設定内容を表示制御部４５０に出力するものである。
【００５１】
表示制御部４５０は、選択受付部４１０と接続端子選択部４３０と設定内容決定部４４０と接続検出部４７０とが出力した各種情報に基づいて各種画像を表示部４６０に出力させるものである。例えば、表示制御部４５０は、接続対象となる他の電子機器を選択させるための接続機器選択画面を表示部４６０に表示させる。また、表示制御部４５０は、撮像装置１００が備える端子と接続機器選択部４２０から出力された他の電子機器が備える端子との組み合わせの中から接続に使用する端子の組み合わせを選択させるための接続端子選択画面を表示部４６０に表示させる。さらに、表示制御部４５０は、設定内容決定部４４０から出力された設定内容を使用者に確認させるための設定内容表示画面を表示部４６０に表示させる。また、表示制御部４５０は、接続検出部４７０からケーブル等の接続検出に関する情報を受けた場合には接続機器選択画面を表示部４６０に表示させる。
【００５２】
表示部４６０は、表示制御部４５０の制御に基づいて各種画像を表示するものである。表示部４６０は、例えばタッチパネル１４０に対応する。
【００５３】
接続検出部４７０は、撮像装置１００が備える複数の端子のうちの少なくとも１つの端子に通信手段が接続されたことを検出するものである。例えば、接続検出部４７０は、第１の端子３１０および第２の端子３２０にケーブル等の通信手段が接続された場合には、その接続を検出するとともに、第３の端子３３０および第４の端子３４０を用いて電子機器が接続された場合には、その接続先の電子機器を検出する。そして、検出結果を表示制御部４５０に出力するものである。なお、接続機器選択部４２０と接続端子選択部４３０と設定内容決定部４４０と表示制御部４５０と接続検出部４７０との各機能は、例えばマイクロプロセッサ１１０により実現することができる。
【００５４】
図３は、撮像装置１００の外観を示す斜視図である。
【００５５】
撮像装置１００本体の外側面には、他の電子機器との接続を行うための端子である第１の端子（LINE OUT）３１０と、第２の端子（COMPONENT OUT）３２０と、第３の端子（i.LINK OUT）３３０と、第４の端子（HDMI OUT）３４０とが配置されるとともに、タッチパネル１４０が配置されている。なお、第１の端子３１０乃至第４の端子３４０とタッチパネル１４０とは、撮像装置１００本体の外側面における同一面に設けるようにしてもよく、それぞれを異なる面に設けるようにしてもよい。
【００５６】
なお、第１の端子３１０乃至第４の端子３４０のそれぞれの端子からは、独立して映像情報または音声情報が出力されている。このため、第１の端子３１０乃至第４の端子３４０の何れかの端子と他の電子機器の端子とをケーブルで接続することによって、撮像装置１００から出力された映像情報または音声情報を他の電子機器において出力することができる。
【００５７】
しかしながら、接続対象となる電子機器によっては、撮像装置１００において出力形式や再生形式の設定を予め行う必要があるものが存在する。再生形式としては、例えば、ＤＶ（Digital Video）やＨＤＶ（High-Definition Video[0]）がある。また、ｉ．ＬＩＮＫを用いて接続を行い相手先の電子機器から映像を出力する場合において、相手先の電子機器がＨＤＶに未対応の場合には、相手の電子機器に映像が全く写らない。さらに、例えば、コンポーネント端子を用いて接続する場合において、接続対象となる電子機器がＤ３端子に対応している場合には、撮像装置１００におけるコンポーネント出力の設定をＤ３端子に設定する必要がある。一方、接続対象となる電子機器がＤ３端子に対応していない場合には、撮像装置１００におけるコンポーネント出力の設定をＤ１端子に設定する必要がある。そこで、このコンポーネント端子を用いて接続する場合における設定方法の一例について図４を用いて簡単に説明する。
【００５８】
図４は、撮像装置１００において設定操作を行う場合におけるタッチパネル１４０に表示される表示画面の遷移の一例を示す図である。
【００５９】
ここでは、コンポーネント端子を用いて、Ｄ３端子に対応していない電子機器と撮像装置１００とを接続する場合において、撮像装置１００におけるコンポーネント出力の設定を「Ｄ３」から「Ｄ１」に設定する場合における設定方法の一例について説明する。なお、ここで示す設定方法は、従来から行われている設定方法である。
【００６０】
最初に、初期画面である表示画面５１０においてメニューボタン５１２をユーザが押下し、メニュー画面のメニュー大項目選択画面５０２をタッチパネル１４０に表示させる。
【００６１】
続いて、メニュー大項目選択画面５０２において、上向きスクロールボタン５０２ａまたは下向きスクロールボタン５０２ｂをユーザが押下し、項目表示５０２ｃに「基本設定」を表示させる。そして、項目表示５０２ｃに「基本設定」が表示されている場合において「ＯＫ」ボタン５０２ｄをユーザが押下し、「基本設定」のメニューリスト表示画面５０３をタッチパネル１４０に表示させる。
【００６２】
続いて、「基本設定」の設定項目画面５０３において、上向きスクロールボタン５０３ａまたは下向きスクロールボタン５０３ｂをユーザが押下し、項目表示５０３ｃに「コンポーネント出力」を表示させる。なお、項目表示５０３ｃに「コンポーネント出力」が表示されている場合において、項目表示５０３ｃの下部分の領域５０３ｄには、「コンポーネント出力」の設定内容である「Ｄ３」が表示されている。続いて、項目表示５０３ｃに「コンポーネント出力」が表示されている場合において「ＯＫ」ボタン５０３ｅをユーザが押下し、「コンポーネント出力」の設定画面５０４を表示させる。
【００６３】
「コンポーネント出力」の設定画面５０４においては、現在の設定内容が「Ｄ３」であるため、「Ｄ３」ボタン５０４ｂの一端に色が付されている。そこで、「コンポーネント出力」の設定画面５０４において、設定値「Ｄ３」を「Ｄ１」に変更するため、「Ｄ１」ボタン５０４ａをユーザが押下する。この場合には、「コンポーネント出力」の設定画面５０５に示すように、「Ｄ１」ボタン５０５ａの一端に色が付される。そして、「コンポーネント出力」の設定画面５０５に示すように「Ｄ１」ボタン５０５ａの一端に色が付されている場合において「ＯＫ」ボタン５０５ｃをユーザが押下し、「基本設定」の設定項目画面５０６を表示させる。なお、設定項目画面５０３と設定項目画面５０６とは、「コンポーネント出力」の設定内容の表示領域の表示が異なる以外は、同じ画面である。
【００６４】
なお、項目表示５０６ｃに「コンポーネント出力」が表示されている場合において、項目表示５０６ｃの下部分の領域５０６ｄには、変更後の「コンポーネント出力」の設定内容である「Ｄ１」が表示される。
【００６５】
このように、撮像装置１００において設定内容をユーザが変更した後に、接続対象となる電子機器の端子と撮像装置１００の端子とを接続するケーブル等をユーザが用意し、用意したケーブルで電子機器の端子と撮像装置１００の端子とを接続する。
【００６６】
このように、コンポーネント端子を用いて接続する場合において、通常の接続操作をする場合には、コンポーネント出力やその意味、および電子機器の端子と撮像装置１００の端子とを接続するケーブル等をユーザが理解する必要があった。このため、初心者にとっては、通常の接続操作が困難であった。これに対して、本発明の実施の形態では、相手先の電子機器の端子の外観（形状）と、撮像装置１００の端子の外観（形状）とを目視で確認して端子を選択することによって、設定値を変更（設定）することができる。このため、初心者であっても、撮像装置１００の端子の形状と、接続先の電子機器の端子の形状とを目視し、同じ形状をタッチパネル１４０において選択することによって、設定値を変更（設定）することができるとともに、接続に必要となるケーブルを容易に知ることができる。
【００６７】
次に、接続先の電子機器としてハイビジョンテレビと撮像装置１００とを、コンポーネント端子（Ｄ端子）を用いて接続する場合について図５等を参照して説明する。
【００６８】
図５は、タッチパネル１４０に表示される表示画面の遷移の一例を示す図である。また、図６乃至図３０は、タッチパネル１４０に表示される表示画面の表示例を示す図である。
【００６９】
図５に示す表示画面５１０は、撮像装置１００の起動時（電源投入時を含む）等にタッチパネル１４０に表示される初期画面であり、撮像装置１００に備えられている各種機能の設定または変更を行う場合における入口となる画面である。なお、図６には、拡大した表示画面５１０を示す。また、図５に示す表示画面５１０は、図４に示す表示画面と同じ画面である。
【００７０】
表示画面５１０には、ガイドボタン５１１およびメニューボタン５１２が表示されている。なお、表示画面５１０は、電源起動後には必ず表示される画面であり、ガイドボタン５１１およびメニューボタン５１２が表示されるとともに、撮影されている画像や再生されている画像が表示される画面である。
【００７１】
ガイドボタン５１１は、撮像装置１００が備える各種機能の設定に不慣れな使用者を手助けする操作支援機能であるガイド機能への入口となる選択ボタンである。メニューボタン５１２は、撮像装置１００が備える各種機能を十分に使いこなしている使用者が各種機能を設定する場合に使用するメニュー画面への入口となる選択ボタンである。
【００７２】
なお、電源投入時等にタッチパネル１４０に表示される表示画面５１０は、撮像装置１００の使用者のほとんどが目にする画面である。このため、各種機能の設定等を行う場合における２つの入口（ガイドボタン５１１およびメニューボタン５１２）をタッチパネル１４０の初期画面に設けることによって、操作支援機能であるガイド機能の存在を知らない使用者にも直感的にガイド機能の存在を認識させることができる。
【００７３】
タッチパネル１４０に表示画面５１０が表示されている場合において、使用者が所望する機能を設定する場合には、ガイドボタン５１１またはメニューボタン５１２の何れかを使用者が押下し、各種機能を設定するための設定画面を表示させる。なお、メニューボタン５１２を押下した場合の操作については、従来の操作と同様であるため、ここでの説明を省略する。
【００７４】
表示画面５１０においてガイドボタン５１１が押下されると、タッチパネル１４０にガイド大項目選択画面５２０が表示される。なお、図７には、拡大したガイド大項目選択画面５２０を示す。
【００７５】
ガイド大項目選択画面５２０は、操作の目的、操作による効果等に基づいて、撮像装置１００が備える各種機能を設定等するための設定画面や他の電子機器との接続をするための各種接続画面に進むための画面である。
【００７６】
ガイド大項目選択画面５２０には、「撮るガイド」ボタン５２１と、「つなげるガイド」ボタン５２２と、「便利ガイド」ボタン５２３と、「表示ガイド」ボタン５２４と、リターンボタン５２５とが表示される。
【００７７】
「撮るガイド」ボタン５２１は、操作の目的等に基づいて、設定画面等に進むために押下する選択ボタンである。
【００７８】
「つなげるガイド」ボタン５２２は、接続対象となる電子機器等を質問方式で使用者に答えてもらいながら、接続操作を進める場合に押下する選択ボタンである。
【００７９】
「便利ガイド」ボタン５２３は、比較的簡単に使用することができる便利な機能を設定する場合に押下する選択ボタンである。
【００８０】
「表示ガイド」ボタン５２４は、タッチパネル１４０に表示されている文字や記号等の各画像の意味を説明する説明文を表示する場合に押下する選択ボタンである。
【００８１】
リターンボタン５２５は、タッチパネル１４０の表示画面を１つ前の表示画面に戻すボタンである。例えば、タッチパネル１４０にガイド大項目選択画面５２０が表示されている場合にリターンボタン５２５が押下されると、タッチパネル１４０に１つ前の表示画面である表示画面５１０が表示される。なお、本発明の実施の形態で示す各リターンボタンについてもリターンボタン５２５と同様に、タッチパネル１４０の表示画面を１つ前の表示画面に戻すボタンである。
【００８２】
次に、「つなげるガイド」ボタン５２２を押下して接続操作をする場合について図面を参照して説明する。
【００８３】
例えば、ガイド大項目選択画面５２０において「つなげるガイド」ボタン５２２が押下されると、タッチパネル１４０に接続機器選択画面５３０が表示される。なお、図８には、拡大した接続機器選択画面５３０を示す。一方、ガイド大項目選択画面５２０においてリターンボタン５２５が押下されると、タッチパネル１４０に表示画面５１０が表示される。
【００８４】
接続機器選択画面５３０は、大項目の選択ボタンにより接続先の電子機器を選択する画面である。例えば、接続機器選択画面５３０には、接続先の電子機器としてテレビジョンを選択する「テレビにつなぐ」ボタン５３１と、レコーダを選択する「レコーダにつなぐ」ボタン５３２と、終了ボタン５３３とが表示される。なお、本発明の実施の形態で示す各終了ボタンは、通常時の表示画面に変更するボタンである。例えば、図５に示す画面５３０、画面５４０、画面５６０乃至５８０の画面において終了ボタンが押下されると、初期画面である表示画面５１０がタッチパネル１４０に表示される。
【００８５】
例えば、接続機器選択画面５３０において、「テレビにつなぐ」ボタン５３１が押下されると、接続テレビ選択画面５４０がタッチパネル１４０に表示される。なお、図９には、拡大した接続テレビ選択画面５４０を示す。一方、接続機器選択画面５３０において終了ボタン５３３が押下されると、タッチパネル１４０に表示画面５１０が表示される。
【００８６】
接続テレビ選択画面５４０は、大項目の選択ボタンにより接続先のテレビジョンの種類を選択する画面である。例えば、接続テレビ選択画面５４０には、接続先のテレビジョンの種類としてハイビジョンテレビを選択する「ハイビジョンテレビ」ボタン５４１と、ハイビジョンテレビ以外のテレビを選択する「その他のテレビ」ボタン５４２と、リターンボタン５４３と、終了ボタン５４４とが表示される。
【００８７】
なお、接続機器選択画面５３０に表示される「テレビにつなぐ」ボタン５３１の代わりに、接続テレビ選択画面５４０に表示される「ハイビジョンテレビ」ボタン５４１および「その他のテレビ」ボタン５４２を接続機器選択画面５３０に表示して、接続機器選択画面５３０において「ハイビジョンテレビ」ボタン５４１と「その他のテレビ」ボタン５４２と「レコーダにつなぐ」ボタン５３２との何れかを選択するようにしてもよい。
【００８８】
例えば、接続テレビ選択画面５４０において、「ハイビジョンテレビ」ボタン５４１が押下されると、接続端子選択画面５５０がタッチパネル１４０に表示される。なお、図１０には、拡大した接続端子選択画面５５０を示す。一方、接続テレビ選択画面５４０においてリターンボタン５４３が押下されると、タッチパネル１４０に接続機器選択画面５３０が表示され、終了ボタン５４４が押下されると、タッチパネル１４０に表示画面５１０が表示される。
【００８９】
接続端子選択画面５５０は、表示されている端子の名称と端子の説明と端子の外観形状とに基づいて、接続先の電子機器の端子と撮像装置の端子とをユーザが選択する画面である。例えば、接続端子選択画面５５０には、端子の名称５５１と、端子の説明５５２と、端子の画像５５３と、左向きスクロールボタン５５４と、右向きスクロールボタン５５５と、「ＯＫ」ボタン５５６と、リターンボタン５５７とが表示される。なお、本発明の実施の形態では、初心者が見易く選択し易いように、端子の名称５５１と端子の説明５５２と端子の画像５５３との組み合わせについて、一の画面に一種類の端子の組み合わせのみを表示する。
【００９０】
端子の名称５５１は、電子機器と撮像装置１００とを接続するための端子の名称を表示する部分であり、例えば、「コンポーネント（Ｄ端子）」が表示される。端子の説明５５２は、端子の名称５５１に表示されている端子の説明を表示する部分であり、例えば、「ハイビジョン画質の映像を接続先の機器に出力できます」が表示される。
【００９１】
端子の画像５５３は、端子の名称５５１に表示されている端子の外観を表示する部分である。例えば、端子の名称５５１に表示されている端子を視覚的に容易に理解することができるように、出力元の撮像装置１００の端子と出力先の電子機器の端子との外観形状等を表示する。なお、図５および図１０では、端子の画像５５３の表示領域内において左側の端子が撮像装置１００の端子を示し、右側の端子が電子機器の端子を示す。このように、接続端子選択画面５５０においては、一の画面に一種類の端子の組み合わせのみを表示するため、初心者であっても見易くなり、使用すべき端子をユーザが選択し易い。
【００９２】
左向きスクロールボタン５５４および右向きスクロールボタン５５５は、タッチパネル１４０に表示されている接続端子選択画面以外の接続端子選択画面をスクロール表示するためのボタンである。なお、本発明の実施の形態で示す、左向きスクロールボタン、右向きスクロールボタン、上向きスクロールボタン、下向きスクロールボタンは、何れもタッチパネル１４０に表示されている画面以外の画面をスクロール表示するためのボタンである。
【００９３】
「ＯＫ」ボタン５５６は、接続端子選択画面５５０に表示されている端子を選択する場合に押下するボタンである。
【００９４】
例えば、接続端子選択画面５５０の端子の名称５５１に「コンポーネント（Ｄ端子）」が表示されている場合において、「ＯＫ」ボタン５５６が押下されると、「コンポーネント（Ｄ端子）」を用いた接続の設定値表示画面５６０がタッチパネル１４０に表示される。なお、図１１には、拡大した設定値表示画面５６０を示す。
【００９５】
設定値表示画面５６０は、接続機器選択画面５３０または接続テレビ選択画面５４０において選択された電子機器と、接続端子選択画面５５０において選択された端子とに応じた最適な設定値を表示する画面である。例えば、設定値表示画面５６０には、端子の名称５６１と、設定値表示部５６２と、「ＯＫ」ボタン５６３と、リターンボタン５６４と、終了ボタン５６５とが表示される。
【００９６】
端子の名称５６１は、接続端子選択画面５５０において選択された端子の名称を表示する部分であり、例えば、「コンポーネント（Ｄ端子）」が表示される。
【００９７】
設定値表示部５６２は、接続機器選択画面５３０または接続テレビ選択画面５４０において選択された電子機器と、接続端子選択画面５５０において選択された端子とに応じた最適な設定値を表示する部分であり、例えば、項目「ビデオ  ＨＤＶ／ＤＶ」の設定値として「オート」が表示され、項目「コンポーネント出力」の設定値として「Ｄ３」が表示される。なお、各項目における設定値については、例えば、各項目の文字の色と設定値の文字の色とを異なる色の表示とすることによって、ユーザが設定値を認識し易くすることができる。
【００９８】
「ＯＫ」ボタン５６３は、設定値表示画面５６０の設定値表示部５６２に表示されている設定値の内容を確認した後にユーザが押下するボタンである。
【００９９】
例えば、設定値表示画面５６０の端子の名称５５１に「コンポーネント（Ｄ端子）」が表示されている場合において、「ＯＫ」ボタン５６３が押下されると、設定値表示部５６２に表示されている各項目の設定値が決定される。例えば、項目「ビデオ  ＨＤＶ／ＤＶ」として「オート」が設定され、項目「コンポーネント出力」として「Ｄ３」が設定される。また、「ＯＫ」ボタン５６３が押下された後に、「コンポーネント（Ｄ端子）」を用いた接続状態を表示する接続指示画面５７０がタッチパネル１４０に表示される。なお、図１２には、拡大した接続指示画面５７０を示す。
【０１００】
接続指示画面５７０は、撮像装置１００の端子（第１の端子３１０乃至第４の端子３４０）と、接続機器選択画面５３０または接続テレビ選択画面５４０において選択された電子機器の端子とを表示するとともに、これらの端子の接続に使用されるケーブルを表示する接続指示画面である。例えば、接続指示画面５７０には、端子の名称５７１と、接続機器表示部５７２と、「ＯＫ」ボタン５７３と、リターンボタン５７４と、終了ボタン５７５と、「ヒント」ボタン５７６とが表示される。
【０１０１】
端子の名称５７１は、接続端子選択画面５５０において選択された端子の名称を表示する部分であり、例えば、「コンポーネント（Ｄ端子）」が表示される。
【０１０２】
接続機器表示部５７２は、撮像装置１００の端子と、接続機器選択画面５３０または接続テレビ選択画面５４０において選択された電子機器の端子とを表示するとともに、これらの端子の接続に使用されるケーブルを表示する部分である。接続機器表示部５７２には、例えば、撮像装置１００の端子の形状の外観と、接続機器選択画面５３０または接続テレビ選択画面５４０において選択された電子機器の端子の形状の外観と、これらを接続するケーブルの形状の外観とが表示される。このように、視覚的に容易に理解することができるように表示することによって、使用すべきケーブル等をユーザが容易に理解することができる。
【０１０３】
「ＯＫ」ボタン５７３は、接続機器表示部５７２に表示されているように、撮像装置１００の端子と、接続機器選択画面５３０または接続テレビ選択画面５４０において選択された電子機器の端子とをケーブルで接続した後にユーザが押下するボタンである。
【０１０４】
例えば、接続指示画面５７０の端子の名称５７１に「コンポーネント（Ｄ端子）」が表示されている場合において、「ＯＫ」ボタン５７３が押下されると、接続状態を確認する接続状態確認画面５８０がタッチパネル１４０に表示される。なお、図１３には、拡大した接続状態確認画面５８０を示す。
【０１０５】
なお、「ヒント」ボタン５７６については、接続状態確認画面５８０の「ヒント」ボタン５８５とともに説明する。
【０１０６】
接続状態確認画面５８０は、接続指示画面５７０の接続機器表示部５７２に表示されているように、撮像装置１００の端子と、接続機器選択画面５３０または接続テレビ選択画面５４０において選択された電子機器の端子とをケーブルで接続した後に、撮像装置１００から出力された映像情報または音声情報が、ケーブルを介して接続された電子機器から出力されているか否かを、ユーザに確認させるための画面である。例えば、接続状態確認画面５８０には、端子の名称５８１と、確認メッセージ表示部５８２と、リターンボタン５８３と、終了ボタン５８４と、「ヒント」ボタン５８５とが表示される。
【０１０７】
端子の名称５８１は、接続端子選択画面５５０において選択された端子の名称を表示する部分であり、例えば、「コンポーネント（Ｄ端子）」が表示される。
【０１０８】
確認メッセージ表示部５８２は、撮像装置１００の端子と電子機器の端子とをケーブルで接続した後に、撮像装置１００から出力された映像情報または音声情報が、ケーブルを介して接続された電子機器から出力されているか否かをユーザに確認させるメッセージを表示する部分である。すなわち、撮像装置１００と電子機器とが適切に接続されているか否かを撮像装置１００が判断することができない場合等に、ユーザの目や耳で実際に確認させるためのメッセージを表示する。確認メッセージ表示部５８２には、例えば、「接続先の入力設定を確認してください」のメッセージが表示される。このように、ユーザによる接続作業が完了後、適切に接続できているか否かをユーザに確認させることによって、例えば、電子機器で出力できないような場合には、リターンボタンを順次押下して接続作業を辿っていくことによって、その原因を探ることができる。これによって、初心者にとっても容易に接続作業の要否を理解することができる。
【０１０９】
「終了」ボタン５８４は、接続機器表示部５７２に表示されているように、撮像装置１００と電子機器とを接続してからユーザの接続確認が終了した後に、ユーザが押下するボタンである。
【０１１０】
つまり、タッチパネル１４０に接続状態確認画面５８０が表示されている場合には、撮像装置１００本体側の設定が全て終了している状態を意味する。この場合において、接続先の電子機器の設定が正しく行われているか否かを確認するために、確認メッセージ表示部５８２に確認メッセージを表示して使用者に確認を促す。これは、接続先の電子機器の出力を制御信号等で確認できない電子機器が存在するため、実際の動作状態をユーザが確認するためである。
【０１１１】
ユーザが実際に接続先の電子機器の出力状態を目視等して、接続先の電子機器において問題なく出力が行われているようであれば、使用者は「終了」ボタン５８４を押下することによって、この接続操作を終了することができる。一方、出力ができていない場合には、接続作業における見落とし等が生じている場合が考えられる。このため、前の画面に戻って再度確認をする場合には、リターンボタン５８３を押下することによって、最初の画面まで一画面ずつ戻ることができる。
【０１１２】
例えば、接続状態確認画面５８０の端子の名称５８１に「コンポーネント（Ｄ端子）」が表示されている場合において、「終了」ボタン５８４が押下されると、表示画面５１０がタッチパネル１４０に表示される。これにより、接続操作を終了することができる。この接続操作の終了後は、撮像装置１００に接続された電子機器から映像等を鑑賞することができる。
【０１１３】
図１４は、タッチパネル１４０に表示される表示画面の遷移の一例を示す図である。
【０１１４】
「ヒント」ボタン５７６および「ヒント」ボタン５８５は、接続指示画面５７０または接続状態確認画面５８０において、ヒント情報を表示するヒント画面を表示させる場合に押下するボタンである。なお、図１４に示す接続指示画面５７０は、図５および図１２に示す接続指示画面５７０と同様の画面であり、図１４に示す接続状態確認画面５８０は、図５および図１３に示す接続指示画面５７０と同様の画面である。
【０１１５】
ヒント画面５９０または５９７は、接続指示画面５７０または接続状態確認画面５８０において対象としている端子や電子機器に関して、ユーザが疑問等を持った場合にその疑問を解く手掛かりとなる情報や接続時に注意が必要な内容等の接続に関する情報等のヒント情報を表示する画面である。例えば、ヒント画面５９０には、端子の名称５９１と、ヒント情報表示部５９２と、上向きスクロールボタン５９３と、下向きスクロールボタン５９４と、頁番号５９５と、リターンボタン５９６とが表示される。
【０１１６】
ヒント情報表示部５９２は、端子の名称５９１に表示されている端子に関する疑問を解く手掛かりとなる情報等のヒント情報等を表示する部分である。
【０１１７】
頁番号５９５は、ヒント画面全体の中でタッチパネル１４０に表示されているヒント画面の頁番号を示す数字である。具体的には、図１４（ｃ）に示すヒント画面５９０では、頁番号５９５として「１／２」が表示されているため、タッチパネル１４０に表示されているヒント画面５９０は、２頁のヒント画面の中の１頁目のものであることを示す。
【０１１８】
なお、端子の接続作業では、接続指示画面５７０または接続状態確認画面５８０において、ユーザが「ヒント」ボタンを押下し、ヒント画面を表示させて、ヒント画面の内容を確認することによって、その接続に関して理解を深めることができる。
【０１１９】
例えば、図１４に示すように、接続指示画面５７０または接続状態確認画面５８０において、「ヒント」ボタン５７６または「ヒント」ボタン５８５が押下された場合には、ヒント画面５９０が表示される。また、ヒント画面５９０において、上向きスクロールボタン５９３または下向きスクロールボタン５９４の何れかの押下によって、ヒント画面５９７が表示される。また、ヒント画面５９０において、リターンボタン５９６の押下によって、ヒント画面５９０が表示される直前の画面である接続指示画面５７０または接続状態確認画面５８０が表示される。なお、図１５には、拡大したヒント画面５９０を示す。
【０１２０】
以上で示したように、撮像装置１００が備える複数の端子を用いた接続作業において、接続先の電子機器の種類、接続する端子の外観形状等を表示して接続確認画面まで導き、接続確認後に使用することができる。これによって、撮像装置１００や端子、ケーブル等を熟知していない使用者、取扱説明書をよく読んだことがない使用者、撮像装置１００を初めて使用する使用者等が所望する電子機器との接続作業を容易に実施することができる。
【０１２１】
なお、上記では、撮像装置１００の接続先の電子機器をハイビジョンとし、コンポーネント（Ｄ端子）を用いて接続する場合について説明したが、その他の電子機器と接続する場合やその他の端子を用いて接続する場合について図面を参照して説明する。
【０１２２】
図１６乃至図１８は、タッチパネル１４０に表示される表示画面の遷移の一例を示す図である。図１６乃至図１８に示す接続端子選択画面５５０は、図５および図１０に示す接続端子選択画面５５０において、左向きスクロールボタン５５４または右向きスクロールボタン５５５が押下され、タッチパネル１４０の表示画面がスクロールされた場合における表示例を示す図である。なお、図１６乃至図１８に示すように、接続端子選択画面５５０の操作によって順次表示される設定値表示画面５６０、接続指示画面５７０、接続状態確認画面５８０は、図５に示すものと同様である。図１６乃至図１８に示すように、「ＨＤＭＩ端子」「ｉ．ＬＩＮＫ端子（ＨＤＶ）」「コンポーネント（ピン端子）」についても上述したように容易に接続操作を行うことができる。
【０１２３】
図１９乃至図２２は、タッチパネル１４０に表示される表示画面の遷移の一例を示す図である。図１９乃至図２２に示す接続端子選択画面５５０は、図５および図９に示す接続テレビ選択画面５４０において「その他のテレビ」ボタン５４２が押下された場合に表示される接続端子選択画面５５０を示す図である。図１９乃至図２２に示す各接続端子選択画面５５０は、左向きスクロールボタン５５４または右向きスクロールボタン５５５の押下によってスクロール表示される。また、図１９乃至図２２に示すように、接続テレビ選択画面５４０において「その他のテレビ」ボタン５４２が押下された場合において順次表示される設定値表示画面５６０、接続指示画面５７０、接続状態確認画面５８０は、図５に示すものと同様である。
【０１２４】
図２３は、タッチパネル１４０に表示される表示画面の遷移の一例を示す図である。図２３に示す接続指示画面５７０および接続状態確認画面５８０は、図１８（ａ）に示す接続指示画面５７０および接続状態確認画面５８０である。この接続指示画面５７０または接続状態確認画面５８０において「ヒント」ボタン５７６または５８５が押下された場合には、ヒント画面６０１が表示され、ヒント画面６０１における上向きスクロールボタンまたは下向きスクロールボタンの押下によってヒント画面６０２または６１０がスクロール表示される。
【０１２５】
ここで、撮像装置１００の接続先の電子機器がハイビジョンテレビ以外のテレビジョンである場合において、接続端子として「コンポーネント（Ｄ端子）」「Ｓ端子」「映像音声端子」が選択された場合には、接続指示画面５７０または接続状態確認画面５８０におけるヒント画面として、図２３（ｅ）に示すヒント画面６１０が表示される。ヒント画面６１０が表示されている場合において「ＴＶタイプ」ボタン６１７が押下されるとＴＶタイプ設定画面６２０が表示される。このＴＶタイプ設定画面６２０においてテレビジョンのタイプを設定することによって、撮像装置１００で撮影した映像が接続先のテレビジョンに縦長で出力される場合であっても、接続先のテレビジョンに適切な映像を出力することができる。
【０１２６】
図２４および図２５は、タッチパネル１４０に表示される表示画面の遷移の一例を示す図である。図２４に示す接続機器選択画面５３０は、図５および図８に示す接続機器選択画面５３０である。図２４に示すように、接続機器選択画面５３０において「レコーダにつなぐ」ボタン５３２が押下された場合には、図２４に示す接続端子選択画面６３０が表示される。なお、この場合における接続端子選択画面として、左向きスクロールボタン６３３または右向きスクロールボタン６３４の押下によって図２４に示す「ｉ．ＬＩＮＫ端子」以外に「Ｓ端子」「映像音声端子」の接続端子選択画面をスクロール表示させることができる。しかしながら、「Ｓ端子」「映像音声端子」の接続端子選択画面における遷移は、図５に示すものとほぼ同様であるため、ここでの説明は省略する。
【０１２７】
接続端子選択画面６３０の端子の名称６３１に「ｉ．ＬＩＮＫ端子」が表示されている場合において、「ＯＫ」ボタン６３６が押下された場合には、ｉ．ＬＩＮＫ出力をＨＤＶからＤＶに変換するか否かを設定する設定画面６４０が表示される。ここで、「はい」ボタン６４３または「いいえ」ボタン６４４が押下されると、押下されたボタンに応じて、図２５に示す設定値表示部６５１または６５４が表示される。なお、設定値表示部６５１または６５４以降の遷移は、図５に示すものとほぼ同様であるため、ここでの説明は省略する。また、設定画面６４０において「ヒント」ボタン６４５が押下された場合には、ヒント画面６４８が表示される。
【０１２８】
次に、撮像装置１００において再生モードが設定されている場合における接続操作について図面を参照して説明する。なお、ここでは、撮像装置１００にＵＳＢ（Universal Serial Bus）端子が設けられている場合について説明する。
【０１２９】
図２６乃至図２８は、撮像装置１００において再生モードが設定されている場合において、タッチパネル１４０に表示される表示画面の遷移の一例を示す図である。撮像装置１００において再生モードが設定されている場合における初期画面である再生モード表示画面６６０には、ガイドボタン６６１が表示される。そして、再生モード表示画面６６０においてガイドボタン６６１が押下された場合には、タッチパネル１４０にガイド大項目選択画面６７０が表示される。なお、ガイド大項目選択画面６７０以降の「ｉ．ＬＩＮＫ端子」についての遷移は、上述した遷移とほぼ同様であるため、ここでの説明は省略する。
【０１３０】
図２６に示す接続端子選択画面６９４において「ＵＳＢ端子」が表示されている場合において「ＯＫ」ボタン６９５が押下された場合には、設定の変更が不要であるため、設定値表示画面が表示されず、図２８に示す接続指示画面７７０がタッチパネル１４０に表示される。例えば、接続指示画面７７０において「ＯＫ」ボタン７７１が押下された場合には、別の機能が呼び出され、図２８に示すＵＳＢ接続選択画面７８０がタッチパネル１４０に表示される。そして、ＵＳＢ端子にケーブルが接続されていない状態で、[0]ＵＳＢ接続選択画面７８０において「パソコン接続」ボタン７８１が押下されると、ＵＳＢ未接続通知画面７９０がタッチパネル１４０に表示され、ＵＳＢ端子にケーブルを接続することをユーザに促すことができる。
【０１３１】
次に、撮像装置１００においてシンプル操作モードが設定されている場合における接続操作について図面を参照して説明する。シンプル操作モードは、ユーザの利便性を高めるため、複雑な機能をオート固定とする操作モードであり、比較的よく使われる基本的な機能（特定の機能）のみを使用者自身が設定することができる操作モードである。例えば、シンプル操作モードが設定されている場合には、設定値表示画面に表示される「ビデオＨＤＶ／ＤＶ」の項目内容を設定変更等することができない。
【０１３２】
図２９の接続機器選択画面８００に示すように、撮像装置１００においてシンプル操作モードが設定されている場合には、シンプル操作モードが設定されている旨を示す画像であるシンプル表示８０１がタッチパネル１４０に表示される。
【０１３３】
例えば、接続機器選択画面８００において、「パソコン／プリンタ」ボタン８０２が押下された場合には、接続端子選択画面８１０がタッチパネル１４０に表示される。シンプル操作モードが設定されていない状態で接続端子選択画面８１０に「ｉ．ＬＩＮＫ端子」が表示されている場合に「ＯＫ」ボタン８１１が押下された場合には、図２６および図２７で示したように、「ビデオＨＤＶ／ＤＶ」の設定変更が必要となる操作画面に進む。このため、シンプル操作モードが設定されている場合には、これ以降の操作画面に進むことができない。そこで、シンプル操作モードが設定されている場合において、接続端子選択画面８１０に「ｉ．ＬＩＮＫ端子」が表示されている場合に「ＯＫ」ボタン８１１が押下された場合には、シンプル操作モードを抜けて設定を行うように促すシンプル解除通知画面８２０がタッチパネル１４０に表示される。このシンプル解除通知画面８２０において「シンプル解除」ボタン８２１が押下されると、タッチパネル１４０に「シンプル操作を解除しました」画面８３０が表示され、図２７に示す再生フォーマット選択画面７００がタッチパネル１４０に表示される。なお、これ以降の遷移は、図２７に示す遷移と同様である。
【０１３４】
次に、図５の接続指示画面５７０等で示した接続機器表示部に表示される他の表示例について図面を参照して説明する。
【０１３５】
図３０は、接続機器表示部８８０に表示される表示例を示す図である。
【０１３６】
図３０に示すように、図５の接続指示画面５７０等で示した接続機器表示部５７２等には、撮像装置１００の端子を示す画像８５１と、接続機器選択画面５３０または接続テレビ選択画面５４０において選択された電子機器の端子を示す画像８６１とともに、撮像装置１００の外観を示す画像８５０とその電子機器の外観を示す画像８６０とを表示させ、これらの端子の接続に使用されるケーブルを示す画像８７０を表示させるようにしてもよい。これによって、さらに視覚的に容易に理解することができるようになり、接続操作等をユーザが容易に理解することができる。
【０１３７】
次に、本発明の実施の形態における撮像装置１００の動作について図面を参照して説明する。
【０１３８】
図３１は、撮像装置１００による端子接続の設定処理の処理手順を示すフローチャートである。
【０１３９】
撮像装置１００において電源がＯＮされた場合（電源投入時、電源起動時）や接続処理が終了した場合には、図５等に示すように、タッチパネル１４０においてガイドボタン５１１が表示される。（ステップＳ９０１）。
【０１４０】
タッチパネル１４０にガイドボタン５１１が表示されている場合においてガイドボタン５１１が押下されたか否かが判断される（ステップＳ９０２）。ガイドボタン５１１が押下された場合には（ステップＳ９０２）、図５等に示すように、ガイド大項目選択画面５２０が表示される（ステップＳ９０３）。
【０１４１】
続いて、ガイド大項目選択画面５２０において「つなげるガイド」ボタン５２２が押下されたか否かが判断される（ステップＳ９０４）。ガイド大項目選択画面５２０において「つなげるガイド」ボタン５２２が押下されなければ（ステップＳ９０４）、ガイド大項目選択画面５２０において「つなげるガイド」ボタン５２２以外の他のガイドボタンが押下されたか否かが判断される（ステップＳ９０６）。ガイド大項目選択画面５２０において「つなげるガイド」ボタン５２２以外の他のガイドボタンが押下されない場合には（ステップＳ９０６）、第１の端子３１０乃至第４の端子３４０にケーブル等が接続されたか否かが判断される（ステップＳ９０７）。
【０１４２】
第１の端子３１０乃至第４の端子３４０にケーブル等が接続されていなければ（ステップＳ９０７）、ガイド大項目選択画面５２０においてリターンボタン５２５が押下されたか否かが判断される（ステップＳ９０８）。第１の端子３１０乃至第４の端子３４０にケーブル等が接続されておらず、ガイド大項目選択画面５２０においてリターンボタン５２５が押下されない場合には（ステップＳ９０７およびＳ９０８）、ステップＳ９０４に進み、ボタンの押下またはケーブル等の接続を監視する（ステップＳ９０４、ステップＳ９０６乃至Ｓ９０８）。
【０１４３】
ガイド大項目選択画面５２０において「つなげるガイド」ボタン５２２以外の他のボタンが押下された場合には（ステップＳ９０６）、押下されたボタンに応じた処理が実行され（ステップＳ９０９）、動作を終了する。例えば、ガイド大項目選択画面５２０において「撮るガイド」ボタン５２１が押下された場合には、操作の目的等に基づいて設定画面に進むための各種ガイド画面がタッチパネル１４０に表示され、各種の設定処理が実行される。
【０１４４】
なお、タッチパネル１４０にガイドボタン５１１が表示されている場合においてガイドボタン５１１が押下されなければ（ステップＳ９０２）、第１の端子３１０乃至第４の端子３４０にケーブル等が接続されたか否かが判断され（ステップＳ９０５）、ステップＳ９０２に進み、ガイドボタン５１１の押下またはケーブル等の接続を監視する（ステップＳ９０２およびステップＳ９０５）。
【０１４５】
ガイド大項目選択画面５２０において「つなげるガイド」ボタン５２２が押下された場合（ステップＳ９０４）、または、第１の端子３１０乃至第４の端子３４０においてケーブル等の接続が検出された場合には（ステップＳ９０５、ステップＳ９０７）、接続機器選択画面５３０が表示される（ステップＳ９１０）。
【０１４６】
続いて、タッチパネル１４０に接続機器選択画面５３０が表示されている場合において何れかのボタンが押下されたか否かが判断される（ステップＳ９１１）。終了ボタン５３３が押下された場合には、初期画面である表示画面５１０が表示される（ステップＳ９０１）。何れかの接続機器選択のボタンが押下された場合には（ステップＳ９１１）、押下された機器に対応する接続端子選択画面が表示される（ステップＳ９１２）。なお、ここでは、接続機器選択画面５３０に表示される「テレビにつなぐ」ボタン５３１の代わりに、接続テレビ選択画面５４０に表示される「ハイビジョンテレビ」ボタン５４１および「その他のテレビ」ボタン５４２を接続機器選択画面５３０に表示して、接続機器選択画面５３０において「ハイビジョンテレビ」ボタン５４１と「その他のテレビ」ボタン５４２と「レコーダにつなぐ」ボタン５３２との何れかを選択する場合について説明する。例えば、接続機器選択画面５３０において「ハイビジョンテレビ」ボタン５４１が押下された場合には（ステップＳ９１１）、接続端子選択画面５５０がタッチパネル１４０に表示される（ステップＳ９１２）。
【０１４７】
続いて、接続端子選択画面５５０において何れかの選択ボタンが押下されたか否かが判断される（ステップＳ９１３）。左向きスクロールボタン５５４または右向きスクロールボタン５５５が押下された場合には（ステップＳ９１３）、タッチパネル１４０に表示されている接続端子選択画面の前頁または次頁の接続端子選択画面が表示され（ステップＳ９１４）、ステップＳ９１３に進む。また、接続端子選択画面５５０においてリターンボタン５５７が押下された場合には（ステップＳ９１３）、タッチパネル１４０に接続機器選択画面５３０が表示される（ステップＳ９１０）。
【０１４８】
また、接続端子選択画面５５０において「ＯＫ」ボタン５５６が押下された場合には（ステップＳ９１３）、接続機器選択画面５３０において選択された他の電子機器の種類と、接続端子選択画面５５０において選択された端子の組み合わせに応じて、接続対象の他の電子機器への出力に関する設定内容が決定され、決定された設定内容として設定値表示画面がタッチパネル１４０に表示される（ステップＳ９１５）。例えば、接続端子選択画面５５０の端子の名称５５１に「コンポーネント（Ｄ端子）」が表示されている場合において「ＯＫ」ボタン５５６が押下されると（ステップＳ９１３）、この押下の際に端子の名称５５１に表示されていた「コンポーネント（Ｄ端子）」と、接続機器選択画面５３０において選択された「ハイビジョンテレビ」とに応じて、接続対象の「ハイビジョンテレビ」への出力に関する設定内容が決定され、決定された設定内容に関する設定値表示画面５６０がタッチパネル１４０に表示される（ステップＳ９１５）。
【０１４９】
続いて、設定値表示画面５６０において何れかの選択ボタンが押下されたか否かが判断される（ステップＳ９１６）。設定値表示画面５６０においてリターンボタン５６４が押下された場合には（ステップＳ９１６）、タッチパネル１４０に直前に表示されていた接続端子選択画面５５０が表示される（ステップＳ９１２）。一方、設定値表示画面５６０において「ＯＫ」ボタン５６３が押下された場合には（ステップＳ９１６）、接続指示画面５７０がタッチパネル１４０に表示される（ステップＳ９１７）。なお、設定値表示画面５６０において終了ボタン５６５が押下された場合には、タッチパネル１４０に表示画面５１０が表示される。
【０１５０】
続いて、接続指示画面５７０において何れかの選択ボタンが押下されたか否かが判断される（ステップＳ９１８）。接続指示画面５７０においてリターンボタン５７４が押下された場合には（ステップＳ９１８）、タッチパネル１４０に直前に表示されていた設定値表示画面５６０が表示される（ステップＳ９１５）。一方、接続指示画面５７０において「ＯＫ」ボタン５７３が押下された場合には（ステップＳ９１８）、接続状態確認画面５８０がタッチパネル１４０に表示される（ステップＳ９１９）。なお、接続指示画面５７０において終了ボタン５７５が押下された場合には、タッチパネル１４０に表示画面５１０が表示される。
【０１５１】
続いて、接続状態確認画面５８０において何れかの選択ボタンが押下されたか否かが判断される（ステップＳ９２０）。接続状態確認画面５８０においてリターンボタン５８３が押下された場合には（ステップＳ９２０）、タッチパネル１４０に直前に表示されていた接続指示画面５７０が表示される（ステップＳ９１７）。一方、接続状態確認画面５８０において終了ボタン５８４が押下された場合には（ステップＳ９２０）、端子接続の設定処理の動作を終了して、タッチパネル１４０に表示画面５１０が表示される。
【０１５２】
なお、接続指示画面５７０または接続状態確認画面５８０において、「ヒント」ボタン５７６または「ヒント」ボタン５８５が押下された場合には（ステップＳ９１８およびステップＳ９２０）、ヒント画面がタッチパネル１４０に表示される（ステップＳ９２１）。例えば、接続指示画面５７０または接続状態確認画面５８０において、「ヒント」ボタン５７６または「ヒント」ボタン５８５が押下された場合には、ヒント画面５９０が表示される。また、ヒント画面において何れかの選択ボタンが押下されたか否かが判断される（ステップＳ９２２）。ヒント画面においてリターンボタンが押下された場合には（ステップＳ９２２）、タッチパネル１４０に直前に表示されていた接続指示画面５７０または接続状態確認画面５８０が表示される（ステップＳ９２４、ステップＳ９１７、ステップＳ９１９）。一方、上向きスクロールボタン５９３または下向きスクロールボタン５９４が押下された場合には（ステップＳ９２２）、タッチパネル１４０に表示されているヒント画面の前頁または次頁のヒント画面が表示され（ステップＳ９２３）、ステップＳ９２２に進む。
【０１５３】
なお、本実施の形態では、撮像装置１００に第１の端子３１０乃至第４の端子３４０を設けた例について説明したが、これらの端子以外にも映像情報や音声情報等の各種情報を出力する端子を設けるようにしてもよい。
【０１５４】
さらに、接続先の電子機器側の情報を取得するとともに接続先の電子機器を操作するためのコントロール端子を設けるようにしてもよい。
【０１５５】
図３２は、撮像装置１００にコントロール端子３５０を設けた場合における撮像装置１００の機能構成例を示すブロック図である。なお、図３２に示す撮像装置１００については、コントロール端子３５０を設けた点以外の構成は、図１に示す撮像装置１００と同様である。
【０１５６】
接続先の電子機器がコントロール端子３５０と同様のコントロール端子を備えている場合において、コントロール端子３５０を用いてその電子機器と接続することによって、撮像装置１００とその電子機器と間でステータスのやり取りを行うことができる。
【０１５７】
また、上述した接続操作は、タッチパネル１４０において接続対象の電気機器と接続に使用する端子とを使用者が選択するものである。これに対して、コントロール端子３５０と接続することによってステータス等の情報を受け取ることができる他の電子機器との接続操作の場合には、上述した接続操作の何れかの手順を省略することができる。これは、コントロール端子３５０を介して接続先の電子機器から取得した情報に基づいて、撮像装置１００側を最適な出力設定に変更することができるとともに、接続先の電子機器の入力設定を撮像装置１００側から変更することができるからである。
【０１５８】
また、使用者がコントロール端子３５０を他の電子機器と接続した時点で、その電子機器との接続に適した端子を接続図としてタッチパネル１４０に表示して、その電子機器側の入力機器選択を表示された端子に設定し、撮像装置１００の設定をその接続に適したものに変更するようにしてもよい。
【０１５９】
なお、コントロール端子３５０としては、出力端子とは別の端子とする必要はなく、第１の端子３１０乃至第４の端子３４０と同じものとして設けるようにしてもよい。例えば、第３の端子（i.LINK OUT）３３０は、他の電子機器との間で映像情報および音声情報とともに他の各種情報のやり取りをすることができる出力端子である。このため、コントロール端子３５０を設ける代わりに、例えば、第３の端子（i.LINK OUT）３３０を利用することによって、他の電子機器との間でステータスのやり取り等をすることができる。
【０１６０】
このように、例えば、第３の端子（i.LINK OUT）３３０を利用することによって、１本のケーブルにより撮像装置１００と他の電子機器とを接続することができるとともに、撮像装置１００の出力設定や、接続先の電子機器の入力設定または入力機器選択等をまとめて行うことができる。このように接続する場合には、使用者がケーブルの接続を完了した時点で、双方の情報がやり取り可能となる。このため、接続操作の手順としては、タッチパネル１４０において接続先の電子機器の選択および撮像装置１００側の端子選択がされ、タッチパネル１４０に接続図が表示された後に、使用者に撮像装置１００と相手機器との接続を促す画面が表示される。この表示の後に双方の機器の接続が行われた時点で両機器の設定を自動的に変更する手順が考えられる。
【０１６１】
また、他の電子機器とステータスのやり取りが可能な出力端子にケーブルが接続された場合には、他の電子機器との接続を促す画面をタッチパネル１４０に表示して、他の電子機器との接続が確立した時点でステータスのやり取りを行い、双方の機器の最適な設定を自動的に行うようにしてもよい。
【０１６２】
なお、本発明の実施の形態においては、電子機器として撮像装置について説明したが、携帯電話機や再生レコーダ等の撮像装置以外の電子機器についても本発明の実施の形態を適用することができる。また、本発明の実施の形態においては、電子機器に備えられる複数の端子が出力端子である場合について説明したが、電子機器に備えられる複数の端子が入力端子である場合についても、本発明の実施の形態を適用することができる。さらに、本発明の実施の形態においては、電子機器から出力される情報が映像情報または音声情報である場合について説明したが、電子機器から出力される情報が文字データ等の他の情報である場合についても、本発明の実施の形態を適用することができる。
【０１６３】
以上で示したように、本発明の実施の形態は、複数の映像情報または音声情報を入力または出力する端子を備える電子機器において、使用者が望んだ出力方法を用いて、他の電子機器との接続を行えるようにするものである。また、撮像装置１００の画面表示を用いることによって、使用者へ接続方法の説明を行うことができる。さらに、使用者が自分で設定等をしていた各端子に関連する設定項目を使用者の望んだ出力方法に合わせて自動的に変更することができる。
【０１６４】
また、他の電子機器との接続方法についての知識を深めることができる。さらに、接続作業中に、過去に理解していなかった他の電子機器との接続方法を発見することができる。また、過去に行っていた接続方法とは異なる他の電子機器との接続方法を発見することができる。そして、このように発見した接続方法を簡単に使用することができる。また、いつでも他の電子機器との接続方法を確認することができる。
【０１６５】
このように、本発明の実施の形態によれば、電子機器と他の電子機器とを接続する場合にその接続操作を容易にすることができる。
【０１６６】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【０１６７】
すなわち、請求項１乃至請求項１４において、電子機器は、例えば撮像装置１００に対応する。また、請求項１５において、撮像装置は、例えば撮像装置１００に対応する。
【０１６８】
また、請求項１、請求項２、請求項１４、請求項１５において、接続機器選択手段は、例えば接続機器選択部４２０に対応する。また、接続端子選択手段は、例えば接続端子選択部４３０に対応する。
【０１６９】
また、請求項１、請求項１４、請求項１５において、設定内容決定手段は、例えば設定内容決定部４４０に対応する。
【０１７０】
また、請求項２または請求項７において、表示手段は、例えばタッチパネル１４０に対応する。
【０１７１】
また、請求項２乃至請求項４、請求項６、請求項８、請求項９、請求項１３において、表示制御手段は、例えば表示制御部４５０に対応する。
【０１７２】
また、請求項２または請求項１３において、接続機器選択画面は、例えば接続機器選択画面５３０に対応する。
【０１７３】
また、請求項２または請求項１１において、接続端子選択画面は、例えば接続端子選択画面５５０に対応する。
【０１７４】
また、請求項３または請求項５において、接続指示画面は、例えば接続指示画面５７０に対応する。
【０１７５】
また、請求項４において、接続状態確認画面は、例えば接続状態確認画面５８０に対応する。
【０１７６】
また、請求項６において、設定内容表示画面は、例えば設定値表示画面５６０に対応する。
【０１７７】
また、請求項８において、ヒント画面は、例えばヒント画面５９０に対応する。
【０１７８】
また、請求項９において、ガイド画面は、例えばガイド大項目選択画面５２０に対応する。
【０１７９】
また、請求項１０において、初期画面は、例えば表示画面５１０に対応する。また、ガイドボタンは、ガイドボタン５１１に対応する。
【０１８０】
また、請求項１３において、検出手段は、例えば接続検出部４７０に対応する。
【０１８１】
また、請求項１６または請求項１７において、接続機器選択手順は、例えばステップＳ９１１に対応する。また、接続端子選択手順は、例えばステップＳ９１３に対応する。また、設定内容決定手順は、例えばステップＳ９１５に対応する。
【０１８２】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【図面の簡単な説明】
【０１８３】
【図１】本発明の実施の形態における撮像装置１００の機能構成例を示すブロック図である。
【図２】本発明の実施の形態における撮像装置１００の表示制御に関する機能構成例を示すブロック図である。
【図３】撮像装置１００の外観を示す斜視図である。
【図４】撮像装置１００において設定操作を行う場合におけるタッチパネル１４０に表示される表示画面の遷移の一例を示す図である。
【図５】タッチパネル１４０に表示される表示画面の遷移の一例を示す図である。
【図６】タッチパネル１４０に表示される表示画面の表示例を示す図である。
【図７】タッチパネル１４０に表示される表示画面の表示例を示す図である。
【図８】タッチパネル１４０に表示される表示画面の表示例を示す図である。
【図９】タッチパネル１４０に表示される表示画面の表示例を示す図である。
【図１０】タッチパネル１４０に表示される表示画面の表示例を示す図である。
【図１１】タッチパネル１４０に表示される表示画面の表示例を示す図である。
【図１２】タッチパネル１４０に表示される表示画面の表示例を示す図である。
【図１３】タッチパネル１４０に表示される表示画面の表示例を示す図である。
【図１４】タッチパネル１４０に表示される表示画面の表示例を示す図である。
【図１５】タッチパネル１４０に表示される表示画面の表示例を示す図である。
【図１６】タッチパネル１４０に表示される表示画面の表示例を示す図である。
【図１７】タッチパネル１４０に表示される表示画面の表示例を示す図である。
【図１８】タッチパネル１４０に表示される表示画面の表示例を示す図である。
【図１９】タッチパネル１４０に表示される表示画面の表示例を示す図である。
【図２０】タッチパネル１４０に表示される表示画面の表示例を示す図である。
【図２１】タッチパネル１４０に表示される表示画面の表示例を示す図である。
【図２２】タッチパネル１４０に表示される表示画面の表示例を示す図である。
【図２３】タッチパネル１４０に表示される表示画面の表示例を示す図である。
【図２４】タッチパネル１４０に表示される表示画面の表示例を示す図である。
【図２５】タッチパネル１４０に表示される表示画面の表示例を示す図である。
【図２６】タッチパネル１４０に表示される表示画面の表示例を示す図である。
【図２７】タッチパネル１４０に表示される表示画面の表示例を示す図である。
【図２８】タッチパネル１４０に表示される表示画面の表示例を示す図である。
【図２９】タッチパネル１４０に表示される表示画面の表示例を示す図である。
【図３０】接続機器表示部８８０に表示される表示例を示す図である。
【図３１】撮像装置１００による端子接続の設定処理の処理手順を示すフローチャートである。
【図３２】撮像装置１００にコントロール端子３５０を設けた場合における撮像装置１００の機能構成例を示すブロック図である。
【符号の説明】
【０１８４】
１００  撮像装置
１１０  マイクロプロセッサ
１２０  ＯＳＤ画像生成回路
１３０  重畳回路
１４０  タッチパネル
１５０  ビューファインダ
１７０  レンズ
１８０  ＣＣＤ
１９０  カメラ信号処理回路
２００  記録回路
２１０  キー入力回路
２２０  電源回路
２３０  電源コントロール回路
２４０  バッテリ
２５０  ＡＣケーブル
３１０  第１の端子
３２０  第２の端子
３３０  第３の端子
３４０  第４の端子
３５０  コントロール端子
４１０  選択受付部
４２０  接続機器選択部
４３０  接続端子選択部
４４０  設定内容決定部
４５０  表示制御部
４６０  表示部
４７０  接続検出部
【図１】
2008147720.tif 000003
【図２】
2008147720.tif 000004
【図３】
2008147720.tif 000005
【図３０】
2008147720.tif 000006
【図３１】
2008147720.tif 000007
【図３２】
2008147720.tif 000008
【図４】
2008147720.tif 000009
【図５】
2008147720.tif 000010
【図６】
2008147720.tif 000011
【図７】
2008147720.tif 000012
【図８】
2008147720.tif 000013
【図９】
2008147720.tif 000014
【図１０】
2008147720.tif 000015
【図１１】
2008147720.tif 000016
【図１２】
2008147720.tif 000017
【図１３】
2008147720.tif 000018
【図１４】
2008147720.tif 000019
【図１５】
2008147720.tif 000020
【図１６】
2008147720.tif 000021
【図１７】
2008147720.tif 000022
【図１８】
2008147720.tif 000023
【図１９】
2008147720.tif 000024
【図２０】
2008147720.tif 000025
【図２１】
2008147720.tif 000026
【図２２】
2008147720.tif 000027
【図２３】
2008147720.tif 000028
【図２４】
2008147720.tif 000029
【図２５】
2008147720.tif 000030
【図２６】
2008147720.tif 000031
【図２７】
2008147720.tif 000032
【図２８】
2008147720.tif 000033
【図２９】
2008147720.tif 000034